(57)【要約】【課題】プロバイダ向けアクセスネットワークの提供時に複数のプロバイダで共用可能なＶｏＩＰトラヒックのＰＳＴＮ接続機能および複数のプロバイダで共用可能なＶｏＩＰトラヒックの専用転送網を提供することにある。【解決手段】複数のプロバイダに対して、アクセスネットワークを提供する場合に、各プロバイダのアクセス網をＶＰＮ技術により構築し、ＰＳＴＮ機能部を複数のプロバイダのアクセス網のエクストラネットとして構築する、あるいは、アクセス網内でＶｏＩＰトラヒックのみをエクトラネットへ振り分けるとともに、ＶｏＩＰトラヒック専用ルータをこれらのアクセス網のエクストラネットとして構築する。【選択図】        図２
2004336306.tif 000002
【特許請求の範囲】
【請求項１】
グローバルＩＰアドレスを用いてＶｏＩＰサービスを提供しているＩＳＰやＡＳＰ等のプロバイダに対して、バックボーンネットワークヘのアクセスネットワークを提供している通信事業者が、ＶＰＮ技術を用いて論理的な閉域網により各プロバイダヘのアクセス網を提供する際に、ＰＳＴＮ接続機能部を複数のＶＰＮアクセス網のエクストラネットとして構築することにより、複数のプロバイダが共通のＰＳＴＮ接続機能部を共用してＶｏＩＰトラヒックをＰＳＴＮへ転送することを特徴とするＶｏＩＰトラヒックの転送方法。
【請求項２】
グローバルＩＰアドレスを用いてＶｏＩＰサービスを提供しているプロバイダに対して、バックボーンネットワークヘのアクセスネットワークを提供している通信事業者が、ＶＰＮ技術を用いて論理的な閉域網により各プロバイダヘのアクセス網を提供する際に、ＶＰＮアクセス網にＶｏＩＰトラヒックの識別機能と特定論理パスヘ振り分ける機能も与える場合には、ＶｏＩＰトラヒック専用ルータを複数のＶＰＮアクセス網のエクストラネットとしてネットワークに収容することにより、複数のＶＰＮアクセス網に共用のＶｏＩＰトラヒック専用網を仮想的に構築して複数のプロバイダがＶｏＩＰトラヒックを共通の専用網で転送することを特徴とするＶｏＩＰトラヒック転送方法。
【発明の詳細な説明】
【０００１】
【発明の属する技術分野】
本発明は、グローバルＩＰアドレスを用いてＶｏＩＰ（Ｖｏｉｃｅ  ｏｖｅｒ  ＩＰ）サービスを提供しているＩＳＰ（Ｉｎｔｅｒｎｅｔ  Ｓｅｒｖｉｃｅ  Ｐｒｏｖｉｄｅｒ）やＡＳＰ（Ａｐｐｌｉｃａｔｉｏｎ  Ｓｅｒｖｉｃｅ  Ｐｒｏｖｉｄｅｒ）等のプロバイダのバックボーンネットワークヘのアクセスネットワークにおけるＶｏＩＰトラヒックの転送方法に関するものである。
【０００２】
【従来の技術】
従来の技術では、図１に示すように、ＶｏＩＰサービスを提供している２つの２つのプロバイダＩＳＰ−ＡおよびＩＳＰ−Ｂに対して、バックボーンネットワークヘのアクセスネットワークを提供している通信事業者が、ＶｏＩＰ通信時に、ＶＰＮ技術を用いて論理的な閉域網ＶＰＮ−ＡやＶＰＮ−ＢによりＩＳＰ−Ａおよび１ＳＰ−Ｂのバックボーンネットワークへのアクセス網を提供する場合は、接続先が一般加入電話であるＶｏＩＰトラヒックをＰＳＴＮ（公衆交換電話網）へ転送するためのＰＳＴＮ接続機能を提供するために、各プロバイダ個別に設置されているゲートウェイ等のＰＳＴＮ接続機能部ＧＷ−Ａ、ＧＷ−Ｂをそれぞれのアクセス網に接続している。
【０００３】
従って、プロバイダ１ＳＰ−ＡのユーザＡ１〜Ａ４のＩＰ電話端末からのＶｏＩＰパケットは、送信先がＩＰ電話端末の場合には、ＩＳＰ−Ａの論理的アクセス網ＶＰＮ−ＡからＩＳＰ−ＡのバックボーンネットワークＢＮ−Ａを経由して送られ、送信先が一般加入電話の場合には、ＩＳＰ−Ａの論理的アクセス網ＶＰＮ−ＡからＰＳＴＮ接続機能部ＧＷ−Ａを介して公衆交換電話網（ＰＳＴＮ）に転送される。また、プロバイダ１ＳＰ−ＢのユーザＢ１〜Ｂ３のＩＰ電話端末からのＶｏＩＰパケットは、送信先がＩＰ電話端末の場合には、ＩＳＰ−Ｂの論理的アクセス網ＶＰＮ−ＢからＩＳＰ−ＢのバックボーンネットワークＢＮ−Ｂを経由して送られ、送信先が一般加入電話の場合には、ＩＳＰ−Ｂの論理的アクセス網ＶＰＮ−ＢからＰＳＴＮ接続機能部ＧＷ−Ｂを介して公衆交換電話網（ＰＳＴＮ）に転送される（例えば、非特許文献１参照）。
【０００４】
従って、従来のプロバイダ向けアクセスネットワークの実現方法では、ＶｏＩＰトラヒックに対してＰＳＴＮ接続機能を提供する場合に、各プロバイダ個別にＰＳＴＮ接続機能部を設定する必要が合った。
また、各プロバイダ共通のＶｏＩＰトラヒック専用網を構築するには、プロバイダ側からＶｏＩＰトラヒックを分離した後に専用網へ接続させる必要があった。
【０００５】
【非特許文献１】
「ＮＴＴ技術ジャーナル  ２００１，１０号」，５２〜５３頁
【０００６】
【発明が解決しようとする課題】
従って、従来の技術では、プロバイダ向けアクセスネットワークにおいてＶｏＩＰトラヒックのＰＳＴＮ接続機能部を各プロバイダ個別に設置する必要があり、非効率なネットワーク構成となっていた。また、各プロバイダに共通のＶｏＩＰトラヒック専用網を効率的に実現することができなかった。
【０００７】
そこで、本発明の第１の目的は、プロバイダ向けアクセスネットワークの提供時に複数のプロバイダで共用可能なＶｏＩＰトラヒックのＰＳＴＮ接続機能を提供してＶｏＩＰトラヒックをＰＳＴＮへ転送するＶｏＩＰの転送方法を提供することにある。
【０００８】
本発明の第２の目的は、プロバイダ向けアクセスネットワークの提供時に複数のプロバイダで共用可能なＶｏＩＰトラヒックの専用転送網を提供してＶｏＩＰトラヒックを専用転送網で転送するＶｏＩＰトラヒック転送方法を提供することにある。
【０００９】
【課題を解決するための手段】
請求項１の発明は、第１の目的を達成するために、グローバルＩＰアドレスを用いてＶｏＩＰサービスを提供しているＩＳＰやＡＳＰ等のプロバイダに対して、バックボーンネットワークヘのアクセスネットワークを提供している通信事業者が、ＶＰＮ技術を用いて論理的な閉域網により各プロバイダヘのアクセス網を提供する際に、ＰＳＴＮ接続機能部を複数のＶＰＮアクセス網のエクストラネットとして構築することにより、複数のプロバイダが共通のＰＳＴＮ接続機能部を共用してＶｏＩＰトラヒックをＰＳＴＮへ転送することを特徴とするＶｏＩＰトラヒックの転送方法を提供する。
【００１０】
この方法によれば、複数のプロバイダに対して、アクセスネットワークを提供する場合に、各プロバイダのアクセス網をＶＰＮ技術により構築し、ＰＳＴＮ機能部を複数のプロバイダのアクセス網のエクストラネットとして構築しているので、複数のプロバイダが１つのＰＳＴＮ接続機能部を共用する仮想的な共用ＶｏＩＰ転送網が実現され、複数のプロバイダ個別に設置する必要がなくなり、ネットワークコストの削減が可能となる。
【００１１】
請求項２の発明は、第２の目的を達成するために、グローバルＩＰアドレスを用いてＶｏＩＰサービスを提供しているプロバイダに対して、バックボーンネットワークヘのアクセスネットワークを提供している通信事業者が、ＶＰＮ技術を用いて論理的な閉域網により各プロバイダヘのアクセス網を提供する際に、ＶＰＮアクセス網にＶｏＩＰトラヒックの識別機能と特定論理パスヘ振り分ける機能も与える場合には、ＶｏＩＰトラヒック専用ルータを複数のＶＰＮアクセス網のエクストラネットとしてネットワークに収容することにより、複数のＶＰＮアクセス網に共用のＶｏＩＰトラヒック専用網を仮想的に構築して複数のプロバイダがＶｏＩＰトラヒックを共通の専用網で転送することを特徴とするＶｏＩＰトラヒック転送方法を提供する。
【００１２】
この方法によれば、複数のプロバイダに対して、アクセスネットワークを提供する場合に、各プロバイダのアクセス網をＶＰＮ技術により構築し、アクセス網内でＶｏＩＰトラヒックのみをエクトラネットへ振り分けるとともに、ＶｏＩＰトラヒック専用ルータをこれらのアクセス網のエクストラネットとして構築しているので、複数のプロバイダに共通の仮想的なＶｏＩＰトラヒック専用転送網が実現される。
【００１３】
【発明の実施の形態】
請求項１の発明の実施の形態を図２に示す。
本例では、ＶｏＩＰサービスを提供している２つの２つのプロバイダＩＳＰ−ＡおよびＩＳＰ−Ｂに対して、バックボーンネットワークＢＮ−ＡおよびＢＮ−Ｂヘのアクセスネットワークを提供している通信事業者が、図１に示すように、ＶＰＮ技術を用いて論理的な閉域網ＶＰＮ−ＡおよびＶＰＮ−ＢによりＩＳＰ−Ａおよび１ＳＰ−Ｂのバックボーンネットワークへのアクセス網を構築している場合に、２つのプロバイダに対して、ＶｏＩＰトラヒックのＰＳＴＮ接続機能を提供するために、図２に示すように、ＶＰＮアクセス網ＡからもＶＰＮアクセス網ＢからもＩＰ上のリーチヤビリティのあるエクストラネットＣを構築し、ＰＳＴＮ接続機能部ＧＷをエクストラネットＣへ帰属させることにより、ＩＳＰ−ＡおよびＩＳＰ−Ｂの２つのプロバイダに共通のＰＳＴＮ接続機能部を実現する。尚、図２は２つのプロバイダの場合を示しているが、もっと多数のプロバイダが存在する場合も同様に実現することができる。
【００１４】
この実施例によれば、複数のプロバイダに対して、アクセスネットワークの提供時に、各プロバイダのアクセス網をＶＰＮ技術により構築し、ＰＳＴＮ機能部を複数のプロバイダのアクセス網のエクストラネットとして構築しているので、プロバイダ１ＳＰ−ＡのユーザＡ１〜Ａ４のＩＰ電話端末からのＶｏＩＰパケットも、プロバイダ１ＳＰ−ＢのユーザＢ１〜Ｂ３のＩＰ電話端末からのＶｏＩＰパケットも、送信先が一般加入電話の場合には、各自の論理的アクセス網ＶＰＮ−ＡもしくはＶＰＮ−ＢとエクトラネットＣを経てＰＳＴＮ接続機能部ＧＷに到達し、共通のＰＳＴＮ接続機能部ＧＷによりＰＳＴＮに転送される。
【００１５】
請求項２の発明の実施例を図３に示す。
本例では、ＶｏＩＰサービスを提供している２つの２つのプロバイダＩＳＰ−ＡおよびＩＳＰ−Ｂに対して、バックボーンネットワークヘのアクセスネットワークを提供している通信事業者が、図１に示すように、ＶＰＮ技術を用いて論理的な閉域網ＶＰＮ−ＡおよびＶＰＮ−ＢによりＩＳＰ−Ａおよび１ＳＰ−Ｂのバックボーンネットワークへのアクセス網を構築している場合に、図２に示すように、ＶＰＮアクセス網ＡからもＶＰＮアクセス網ＢからもＩＰ上のリーチヤビリティのあるエクストラネットＣを構築するとともに、それぞれのアクセス網ＡおよびＢ内にＶｏＩＰトラヒックのみをエクストラＣへ振り分ける機能を持たせ、ＶｏＩＰトラヒック専用ルータＲをエクストラネットＣへ帰属させることにより、ＩＳＰ−ＡおよびＩＳＰ−Ｂの２つのプロバイダに共通の仮想的なＶｏＩＰトラヒック専用網が実現される。尚、図３は２つのプロバイダの場合を示しているが、もっと多数のプロバイダが存在する場合も同様に実現することができる。
【００１６】
この実施例によれば、複数のプロバイダに対して、アクセスネットワークを提供する場合に、各プロバイダのアクセス網をＶＰＮ技術により構築し、アクセス網内でＶｏＩＰトラヒックをエクストラネットへの振り分けを行い、ＶｏＩＰトラヒック専用ルータを複数のプロバイダのアクセス網のエクストラネットとして構築しているので、複数のプロバイダのユーザが共通の仮想的なＶｏＩＰ専用網を介してＩＰ電話通信を行うことができる。
【００１７】
【発明の効果】
本発明によれば、複数のプロバイダ個別で設置する必要のあったＶｏＩＰ接続機能部を複数のプロバイダで共用化することにより、ネットワークコストの削減が可能となる。また、複数のプロバイダに共通のＶｏＩＰトラヒック専用網を構築することで、複数のプロバイダで電話会議装置等の付加サービス装置の共用化が可能となる。
【図面の簡単な説明】
【図１】従来のプロバイダ向けアクセスネットワークにおけるＶｏＩＰトラヒックの転送方法を示す図である。
【図２】本発明のプロバイダ向けアクセスネットワークにおけるＶｏＩＰトラヒックの転送方法の第１の実施例を示す図である。
【図３】本発明のプロバイダ向けアクセスネットワークにおけるＶｏＩＰトラヒックの転送方法の第２の実施例を示す図である。
【符号の説明】
ＩＳＰ−Ａ  インターネットサービスプロバイダＡ
Ａ１〜Ａ４  プロバイダＡのユーザ
ＢＮ−Ａ  プロバイダＡのバックボーンネットワーク
ＶＰＮ−Ａ  プロバイダＡの仮想アクセス網
ＩＳＰ−Ｂ  インターネットサービスプロバイダＢ
Ｂ１〜Ｂ３  プロバイダＢのユーザ
ＢＮ−Ｂ  プロバイダＢのバックボーンネットワーク
ＶＰＮ−Ｂ  プロバイダＢの仮想アクセス網
ＰＳＴＮ  公衆交換電話網
ＶＰＮ−Ｃ  仮想エクストラネット
ＧＷ  ＰＳＴＮ接続機能部
Ｒ  ＶｏＩＰ専用ＩＰルータ
【図１】
2004336306.tif 000003
【図２】
2004336306.tif 000004
【図３】
2004336306.tif 000005